(57)【要約】【課題】  多数の電子錠ユニットを独立して機能するものとして装置全体が機能しなくなることを防止できる電子錠の開錠・施錠装置を安価に提供することを目的とする。【解決手段】  複数配設される電子機器収納キャビネットに、相互通信可能な電子錠ユニットを少なくとも一つ以上設け、該電子錠ユニットは手動入力される認証情報または通信により入力される認証情報に基づき開錠・施錠を行う電子錠の開錠・施錠装置であり、好ましくは、電子錠ユニットが、手動操作により認証情報が入力される入力部と、電子錠ユニットの認証情報を記憶させた記憶部と、手動操作により入力された認証情報または通信により受信した認証情報が記憶部の認証情報と同じか違うかを判断する判定部と、判定部の正判定により電子錠ユニットの開錠または施錠を行う錠駆動機構と、認証情報の通信を行う通信部とからなる電子錠の開錠・施錠装置である。【選択図】          図１
2006328757.tif 000002
【特許請求の範囲】
【請求項１】
複数配設される電子機器収納キャビネットに、相互通信可能な電子錠ユニットを少なくとも一つ以上設け、該電子錠ユニットは手動入力される認証情報または通信により入力される認証情報に基づき開錠・施錠を行うことを特徴とする電子錠の開錠・施錠装置。
【請求項２】
電子錠ユニットが、手動操作により認証情報が入力される入力部と、電子錠ユニットの認証情報を記憶させた記憶部と、手動操作により入力された認証情報または通信により受信した認証情報が記憶部の認証情報と同じか違うかを判断する判定部と、判定部の正判定により電子錠ユニットの開錠または施錠を行う錠駆動機構と、認証情報の通信を行う通信部とからなることを特徴とする請求項１に記載の電子錠の開錠・施錠装置。
【発明の詳細な説明】
【技術分野】
【０００１】
複数配置された電子機器収納キャビネットに設けられる一つ以上の扉をロックする電子錠の開錠または施錠を行う電子錠の開錠・施錠装置に関するものである。
【背景技術】
【０００２】
従来、データセンタ等の高セキュリティ環境に置かれた電子機器収納キャビネットに収納されたサーバー等の電子機器の保守点検は許可された作業者のみが行うことができるようになっている。この保守点検作業は電子機器収納キャビネットに収納された全ての電子機器に対して行われるものではなく、特定の電子機器に対してのみ行われるのが普通であった。このため、電子機器収納キャビネット内の特定の電子機器を収納した個所に設けられる扉を選択的に開閉する必要があった。
【０００３】
そこで、什器別に施錠及び開錠が許諾される許諾者識別情報が登録された施開錠許諾者登録手段と、施開錠指示情報を受信する指示情報受信手段と、許諾者識別情報を比較する許諾者情報比較手段と、比較結果の一致により施錠または開錠の制御を指示する制御信号を送信する制御情報送信手段とを備える親施開錠制御装置により、複数の什器に収容部へのアプローチを規制する規制部材と、該規制部材の施開錠手段とを備え、施開錠手段による規制部材の施錠及び開錠の制御を行う子施開錠制御装置を操作し、親施開錠制御装置により該子施開錠制御装置を１元的に管理するものがある（例えば、特許文献１）。
【０００４】
しかしながら、上記のは全てを親施開錠制御装置により制御するため親施開錠制御装置に何らかのトラブルが発生するとすべての什器で開錠・施錠動作ができなる問題がある。さらに、子施開錠制御装置ごとに指示を出す必要があるので親施開錠制御装置に組み込むソフトウエアの開発が必要となりコスト高の原因となるという問題点があった。
【特許文献１】特開２００４−１０７８８３号公報
【発明の開示】
【発明が解決しようとする課題】
【０００５】
解決しようとする問題点は、ホストコンピュータ等を用いることなく、個々の電子錠ユニットが相互通信を行うことにより、１つの電子錠ユニットに認証情報を入力すれば特定の電子錠ユニットを操作することが可能な電子錠の開錠・施錠装置を安価に提供することを目的とするものである。
【課題を解決するための手段】
【０００６】
本発明は、複数配設される電子機器収納キャビネットに、相互通信可能な電子錠ユニットを少なくとも一つ以上設け、該電子錠ユニットは手動入力される認証情報または通信により入力される認証情報に基づき開錠・施錠を行うことを特徴とする電子錠の開錠・施錠装置を請求項１の発明とし、請求項１発明において、電子錠ユニットが、手動操作により認証情報が入力される入力部と、電子錠ユニットの認証情報を記憶させた記憶部と、手動操作により入力された認証情報または通信により受信した認証情報が記憶部の認証情報と同じか違うかを判断する判定部と、判定部の正判定により電子錠ユニットの開錠または施錠を行う錠駆動機構と、認証情報の通信を行う通信部とからなる電子錠の開錠・施錠装置を請求項２発明とするものである。
【発明の効果】
【０００７】
本発明は、複数配設される電子機器収納キャビネットに、相互通信可能な電子錠ユニットを少なくとも一つ以上設け、該電子錠ユニットは手動入力される認証情報または通信により入力される認証情報に基づき開錠・施錠を行うものであるから、１つの電子錠ユニットに認証情報を入力すれば特定の電子錠ユニットを操作することが可能であるため、ホストコンピュータを用いる必要がなくシステムを安価に構築できる。さらに、電子錠ユニットが相互通信可能な分散システムのためシステム全体がダウンすることを防止できる。
【発明を実施するための最良の形態】
【０００８】
次に、本発明の好ましい実施の形態を図１、２に基づいて詳細に説明する。
図１中、１は多数配置される電子機器収納キャビネットであり、該電子機器収納キャビネット１の正面や側面、あるいは正面に設けられる複数の扉１ａには電子錠ユニット２が取り付けられている。また、３は電子機器収納キャビネット１に一つ取り付けられる通信制御ユニットであり、該通信制御ユニット３には一つ以上の電子錠ユニット２が接続されている。４は各電子機器収納キャビネット１の通信制御ユニット３間を繋ぐ通信手段であり、該通信手段は無線・有線ＬＡＮまたは１対複数あるいは複数対複数のシリアル通信よりなるものとする。
【０００９】
前記電子錠ユニット２は図２に示されるように、電子錠の開錠・施錠を行うための認証情報が手動により入力される入力部２１と、入力された認証情報を記憶部２２に予め書き込まれている電子錠ユニット２の認証情報と比較して同じか否かの判定を行う判定部２３と、判定部２３の正判定に基づいて認証情報が手動入力された当該電子錠ユニット２の電子錠の開錠・施錠を行うソレノイド等の錠駆動機構２４と、通信制御ユニット３に認証情報を送信したり受信したりする通信部２５とからなるものである。
なお、入力部２１に手動により入力された認証情報は、判定部２３で判定されると同時に、通信部２５に伝達され、通信制御ユニット３に送られるものである。
【００１０】
入力部２１に対する認証情報の手動入力は、例えば、ＩＣカードから認証情報の読み込みやキーボードによりパスワード等の認証情報をタイピングするものだけではなく、赤外線や電波等により認証情報を送信するリモコンを利用して行うものも含むものとする。認証情報は共通の保守点検を行う電子機器が収納される扉に設けられる電子錠ユニット２の各電子錠に共通するものとしている。
【００１１】
前記通信制御ユニット３は各電子錠ユニット２を繋ぐノードとしてのＬＡＮアダプタよりなるもので通信手段４を介してネットワーク化されている。ネットワーク化することにより一つの通信制御ユニット３にトラブルが発生しても他の通信制御ユニット３間のリンクは維持されるようになっている。また、各通信制御ユニット３には一つ以上の電子錠ユニット２が接続されており、認証情報が手動入力される電子錠ユニット２において認証情報が判定されると同時に、通信部２５を介して認証情報は当該通信制御ユニット３に送信される。そして、通信制御ユニット３に送信された認証情報は他の通信制御ユニット３に送信され、該通信制御ユニット３を介して各電子錠ユニット２の通信部２５に送信される。そして、送信された認証情報と記憶部２２に記憶される電子錠ユニット２の認証情報とが判定部２３により比較され一致して正判定されると錠駆動機構２４を作動させて開錠・施錠を行うものである。前記通信制御ユニット３はＬＡＮアダプタに限らず一対複数の接続を行うＲＳ−４２２や複数対複数のＲＳ−４８５を用いたシリアル通信としてもよいことは勿論である。
【００１２】
５は電子錠ユニット２の開錠・施錠時刻、開錠時間、作業者名等の履歴を保存するデータ管理用コンピュータであり、該データ管理用コンピュータ５は各電子錠ユニット２と通信手段４を介して通信制御ユニット３と接続され、各電子機器収納キャビネット１の電子錠ユニット２の開錠・施錠操作に関する履歴が送信記録されるようになっている。
【００１３】
このように構成されたものは、保守点検を必要とする共通の電子機器が収納された各電子機器収納キャビネット１の扉の電子錠ユニット２を開錠する場合、共通の電子機器を収納した各電子機器収納キャビネット１の扉に設けられているいずれかひとつの電子錠ユニット２に対して作業員は手動入力による開錠操作を行う。
【００１４】
この開錠操作は認証情報が書き込まれたＩＣカードを用いる場合は、電子錠ユニット２に組み込まれている入力部２１としてのＩＣカード読み取り機にＩＣカードをスキャンさせ認証情報を読み取らせる。また、認証情報がパスワードの場合は、電子錠ユニット２に設けられているテンキーやキーボードを用いて数字やアルファベット等よりなるパスワードを入力部２１に入力するものとする。また、リモコンを利用する場合は、赤外線や電波等により認証情報を送信して入力部２１に読み取らせるものとする。
【００１５】
電子錠ユニット２の入力部２１を介して手動入力された認証情報は、判定部２３により記憶部２２に書き込まれている電子錠ユニット２の認証情報と比較され同じであると判断されると、該電子錠ユニット２の錠駆動機構２４に作動信号が出力され錠駆動機構２４としてのソレノイドは作動して扉のロックを外して開錠を行うこととなる。また同時に、認証情報は当該電子錠ユニット２の通信部２５を介して他の通信制御ユニット３に送信されることとなる。
【００１６】
この送信は有線または無線による通信手段４を通じて他の通信制御ユニット３に送信される。認証情報を受信した他の通信制御ユニット３は該各通信制御ユニット３に接続されている一つ以上の電子錠ユニット２に送信することとなる。そして、電子錠ユニット２の通信部２５により受信された認証情報は記憶部２２に記憶されている電子錠ユニット２の認証情報と判定部２３により比較判定される。認証情報と記憶部２２の認証情報が同じで一致したという正判定が得られると錠駆動機構２４が作動され、施錠されていた電子錠を開錠することとなる。この開錠は同じ認証情報を記憶部２２に記憶している全ての電子錠ユニット２に対して行われることとなる。
【００１７】
このようにして扉のロックが外されたら、電子機器収納キャビネット１に収納されている共通の電子機器の保守点検を順次あるいは適宜行えばよい。全ての電子機器の保守点検が終了したら、作業員は最後に保守点検を行った電子錠ユニット２の入力部２１にＩＣカードあるいはパスワードあるいはリモコンによる認証情報の手動入力を行い、認証情報の認証に基づいて開錠されていた当該電子錠の錠駆動機構２４が作動して電子錠ユニット２の施錠が行われることとなる。
【００１８】
このとき入力部２１へ入力された認証情報は同時に、電子錠ユニット２の通信部２５により通信制御ユニット３に送信することとなる。通信制御ユニット３に送信された認証情報は通信制御ユニット３に接続された他の電子錠ユニット２の通信部２５に入力され、記憶部２２に記憶された認証情報と比較され一致していれば該電子錠ユニット２の錠駆動機構２４は作動して電子錠を施錠することとなる。さらに通信部２５を介して他の通信制御ユニット３にも認証情報は送信され、他の通信制御ユニット３に接続される一つ以上の各電子錠ユニット２の通信部２５に送信された認証情報は記憶部２２の認証情報と比較され一致する全ての電子錠ユニット２の錠駆動機構２４は作動して電子錠を施錠することとなるので、共通する電子機器の保守点検を行ったすべての電子錠ユニット２は略同時に施錠されることとなる。
【図面の簡単な説明】
【００１９】
【図１】本発明の好ましい実施の形態を示す概略図である。
【図２】本発明の好ましい実施形態を示すブロック図である。
【符号の説明】
【００２０】
１  電子機器収納キャビネット
２  電子錠ユニット
３  通信制御ユニット
４  通信手段
21  入力部
22  記憶部
23  判定部
24  錠駆動機構
25  通信部
【図１】
2006328757.tif 000003
【図２】
2006328757.tif 000004